(57)【要約】【課題】電気泳動表示装置において、中間調を表示する際のノイズを低減し、高品位な表示を行う。【解決手段】電気泳動表示装置の駆動方法は、第１電極（２２）と第２電極（２１）との間に電気泳動層（２３）が挟持され、複数の画素（２０）を備えた電気泳動表示装置の駆動方法であって、画素の表示状態として、正極性の電圧を印加することによって第１表示状態が選択され、負極性の電圧を印加することによって第２表示状態が選択され、第１表示状態にある画素に印加される負極性の電圧の総持続時間に応じて、第１表示状態と第２表示状態との間の中間調が選択され、中間調を選択する際、少なくとも１の負極性の駆動電圧パルス（Ｐａ１）を印加した後、正極性の補償電圧パルス（Ｐｃ１）を印加する。【選択図】図８
2011164193.tif 000002
【特許請求の範囲】
【請求項１】
第１電極と第２電極との間に電気泳動層が挟持された画素を複数備え、前記第１電極の電位が前記第２電極の電位よりも高い場合に前記第１電極と前記第２電極との間に生じる電位差を正極性としたとき、前記画素の表示状態として、前記正極性の電圧を印加することによって第１表示状態が選択され、前記正極性とは異なる負極性の電圧を印加することによって第２表示状態が選択され、前記第１表示状態にある画素に印加される前記負極性の電圧の総持続時間に応じて、前記第１表示状態と前記第２表示状態との間の中間調が選択される電気泳動表示装置の駆動方法であって、
前記中間調を選択する際、少なくとも１の前記負極性の駆動電圧パルスを印加した後、前記正極性の補償電圧パルスを印加するステップを有する
ことを特徴とする電気泳動表示装置の駆動方法。
【請求項２】
前記補償電圧パルスの持続時間は、前記少なくとも１の負極性の駆動電圧パルスの総持続時間よりも短いことを特徴とする請求項１に記載の電気泳動表示装置の駆動方法。
【請求項３】
前記補償電圧パルスの持続時間は、前記少なくとも１の負極性の駆動電圧パルスの総持続時間よりも長いことを特徴とする請求項１に記載の電気泳動表示装置の駆動方法。
【請求項４】
前記少なくとも１の負極性の駆動電圧パルスをすべて印加した後、前記補償電圧パルスを印加することを特徴とする請求項１から３のいずれか一項に記載の電気泳動表示装置の駆動方法。
【請求項５】
前記第２表示状態が選択される画素に対しては、前記補償電圧パルスを印加しないことを特徴とする請求項１から４のいずれか一項に記載の電気泳動表示装置の駆動方法。
【請求項６】
前記少なくとも１の負極性の駆動電圧パルスのうち持続時間が最も長い駆動電圧パルスを最後に印加し、該最後に印加する駆動電圧パルスの直前に前記補償電圧パルスを印加することを特徴とする請求項１から３のいずれか一項に記載の電気泳動表示装置の駆動方法。
【発明の詳細な説明】
【技術分野】
【０００１】
本発明は、電気泳動表示装置の駆動方法の技術分野に関する。
【背景技術】
【０００２】
この種の電気泳動表示装置では、複数の画素の各々において、画素電極及び共通電極間に挟持された例えば白色と黒色の電気泳動粒子を含む電気泳動層に駆動電圧を印加することにより、電気泳動粒子を移動させることで画像を表示する。また、各画素において駆動電圧を電気泳動層に印加する時間を変更することにより、中間調（例えば灰色）を表示する。
【０００３】
他方、この種の電気泳動表示装置として、画素スイッチング素子として機能する１つのＴＦＴ（Thin Film Transistor）と、メモリー回路として機能する１つのコンデンサー（即ち、キャパシター）とを含んで構成された画素回路（いわゆる１Ｔ１Ｃ型の画素回路）を備えるものがある。
【０００４】
例えば特許文献１には、電気泳動表示装置において、表示色を切り替える場合、切替前の表示色の連続表示時間に応じて、駆動電圧の印加時間を変化させることにより、色の不均一表示を回避する技術が開示されている。
【先行技術文献】
【特許文献】
【０００５】
【特許文献１】特開２００７−７９１７０号公報
【発明の概要】
【発明が解決しようとする課題】
【０００６】
この種の電気泳動表示装置では、中間調を表示する際、表示された画像にノイズが発生してしまうおそれがあるという技術的問題点がある。つまり、異なる画素に同一の中間調を表示するために同一の駆動電圧を印加しても、画素によって異なる中間調が表示されてしまう場合がある。このような、同一の中間調を表示すべき２つの画素によって実際に表示される中間調の差が、画像のノイズとして視認される。このノイズは、中間調を表示する場合、中間調を表示するために駆動電圧を印加する時間が短いほど顕著に発生する傾向がある。その原因は明確ではないが、例えば、上述した１Ｔ１Ｃ型の画素回路を備える電気泳動表示装置では、各画素回路に含まれるコンデンサーの製造バラツキ（言い換えれば、各画素に設けられたコンデンサー間でコンデンサーの特性が異なること）が原因の１つとして考えられる。
【０００７】
本発明は、例えば上述した問題点に鑑みなされたものであり、中間調を表示する際のノイズを低減でき、高品位な表示を行うことが可能な電気泳動表示装置の駆動方法を提供することを課題とする。
【課題を解決するための手段】
【０００８】
本発明に係る電気泳動表示装置の駆動方法は上記課題を解決するために、第１電極と第２電極との間に電気泳動層が挟持された画素を複数備え、前記第１電極の電位が前記第２電極の電位よりも高い場合に前記第１電極と前記第２電極との間に生じる電位差を正極性としたとき、前記画素の表示状態として、前記正極性の電圧を印加することによって第１表示状態が選択され、前記正極性とは異なる負極性の電圧を印加することによって第２表示状態が選択され、前記第１表示状態にある画素に印加される前記負極性の電圧の総持続時間に応じて、前記第１表示状態と前記第２表示状態との間の中間調が選択される電気泳動表示装置の駆動方法であって、前記中間調を選択する際、少なくとも１の前記負極性の駆動電圧パルスを印加した後、前記正極性の補償電圧パルスを印加するステップを有する。
【０００９】
本発明に係る電気泳動表示装置の駆動方法によれば、一の極性、例えば正極性、の電圧が印加されて第１表示状態（例えば白色）になっている画素に、一の極性とは逆の極性、例えば負極性の少なくとも１の駆動電圧パルスを印加し、さらに正極性の補償電圧パルスを印加することにより、該画素において例えば灰色である中間調（即ち中間階調）が表示される。尚、１の負極性の駆動電圧パルスが画素に印加されることにより、所定の持続時間だけ第１電極の電位が第２電極の電位よりも低くなる。よって、複数の負極性の駆動電圧パルスが画素に印加される場合には、複数の負極性の駆動電圧パルスの各々の持続時間を加え合わせた総持続時間だけ第１電極の電位が第２電極の電位よりも低くなる。
【００１０】
本発明では特に、中間調を選択する際、第１電極の電位が第２電極の電位よりも高い場合に第１電極と第２電極との間に生じる電位差を正極性としたとき、少なくとも１の負極性の駆動電圧パルスを印加した後、正極性の補償電圧パルスを印加する。即ち、中間調を表示する際、先ず、第１表示状態にある画素に、少なくとも１の負極性の駆動電圧パルスを印加する。これにより、画素の表示状態は、第１表示状態から第２表示状態に向かって変化し、負極性の駆動電圧パルスの総持続時間に応じた中間調状態となる。次に、正極性の補償電圧パルスを画素に印加する。補償電圧パルスを画素に印加するタイミングは、所定の中間調を表示するために必要な負極性の駆動電圧パルスをすべて印加した後でもよいし、必要な負極性の駆動電圧パルスのうちいずれかを印加した後でもよい。
【００１１】
本発明によれば、中間調を表示すべき画素に負極性の駆動電圧パルスのみを印加することにより中間調を表示する場合と比較して、表示される画像のノイズを低減或いは除去することができる。即ち、同一の中間調を表示すべき画素間で異なる中間調が表示されてしまうことを低減することができる。この結果、高品位な表示を行うことができる。
【００１２】
以上説明したように、本発明に係る電気泳動表示装置の駆動方法によれば、中間調を表示する際のノイズを低減でき、高品位な表示を行うことが可能となる。
【００１３】
本発明に係る電気泳動表示装置の駆動方法の一態様では、前記補償電圧パルスの持続時間は、前記少なくとも１の負極性の駆動電圧パルスの総持続時間よりも短い。
【００１４】
この態様によれば、表示される画像のノイズを効果的に低減或いは除去することができる。また、正極性の補償電圧パルスの持続時間が少なくとも１の負極性の駆動電圧パルスの総持続時間よりも長い場合と比較して、中間調を速やかに表示することができる。即ち、表示すべき中間調を表示するのに必要とする時間を短くすることができる。更に、正極性の補償電圧パルスを印加するのに必要となる消費電力を抑制することができる。
【００１５】
本発明に係る電気泳動表示装置の駆動方法の他の態様では、前記補償電圧パルスの持続時間は、前記少なくとも１の負極性の駆動電圧パルスの総持続時間よりも長い。
【００１６】
この態様によれば、例えば、画素に負極性の電圧が印加されたときよりも画素に正極性の電圧が印加されたときのほうが、電気泳動層に含まれる電気泳動粒子が移動しにくい場合であっても、正極性の補償電圧パルスを印加することにより、表示すべき中間調を確実に表示することができる。
【００１７】
尚、正極性の補償電圧パルスの持続時間は、例えば、電気泳動層に含まれる電気泳動粒子の特性（例えば、電気泳動粒子の移動のしやすさ）に基づいて設定されてもよい。
【００１８】
本発明に係る電気泳動表示装置の駆動方法の他の態様では、前記少なくとも１の負極性の駆動電圧パルスをすべて印加した後、前記補償電圧パルスを印加する。
【００１９】
この態様によれば、例えば、少なくとも１の負極性の駆動電圧パルスのうち１の負極性の駆動電圧パルスを印加する毎に正極性の補償電圧パルスを印加する場合と比較して、中間調を速やかに表示することができる。即ち、表示すべき中間調を表示するのに必要とする時間を短くすることができる。更に、正極性の補償電圧パルスを印加するのに必要となる消費電力を抑制することができる。
【００２０】
本発明に係る電気泳動表示装置の駆動方法の他の態様では、前記第２表示状態が選択される画素に対しては、前記補償電圧パルスを印加しない。
【００２１】
この態様によれば、第２表示状態を表示すべき画素の表示状態を確実に第２表示状態とすることができる。
【００２２】
即ち、この態様では、第１表示状態（例えば白色）にある画素を、第２表示状態（例えば黒色）にする場合には、該画素に対しては、負極性の駆動電圧パルスのみを印加し、正極性の補償電圧パルスを印加しない。よって、第２表示状態となるべき画素が、正極性の補償電圧パルスが印加されることにより第２表示状態よりも第１表示状態に近い表示状態（例えば灰色）になってしまうことを防止することができる。
【００２３】
本発明に係る電気泳動表示装置の駆動方法の他の態様では、前記少なくとも１の負極性の駆動電圧パルスのうち持続時間が最も長い駆動電圧パルスを最後に印加し、該最後に印加する駆動電圧パルスの直前に前記補償電圧パルスを印加する。
【００２４】
この態様によれば、正極性の補償電圧パルスが印加されることにより、画素が、表示すべき表示状態（中間調或いは第２表示状態）よりも第１表示状態に近づくことを低減することができる。よって、表示する画像のコントラストを高めることができる。
【００２５】
本発明の作用及び他の利得は次に説明する発明を実施するための形態から明らかにされる。
【図面の簡単な説明】
【００２６】
【図１】第１実施形態に係る電気泳動表示装置の全体構成を示すブロック図である。
【図２】第１実施形態に係る電気泳動表示装置の画素の電気的な構成を示す等価回路図である。
【図３】第１実施形態に係る電気泳動表示装置の表示部の部分断面図である。
【図４】マイクロカプセルの構成を示す模式図である。
【図５】中間調を含む画像の一例を表示した状態の電気泳動表示装置の表示部を示す模式図である。
【図６】第１実施形態に係る電気泳動表示装置の駆動方法を示すフローチャートである。
【図７】第１実施形態に係る電気泳動表示装置の動作を示す概念図である。
【図８】第１実施形態に係る電気泳動表示装置の駆動方法を説明するためのタイミングチャートである。
【図９】第２実施形態に係る電気泳動表示装置の駆動方法を説明するためのタイミングチャートである。
【図１０】複数の中間調を含む画像の一例を表示した状態の電気泳動表示装置の表示部を示す模式図である。
【図１１】第３実施形態に係る電気泳動表示装置の駆動方法を説明するためのタイミングチャートである。
【図１２】第４実施形態に係る電気泳動表示装置の駆動方法を説明するためのタイミングチャートである。
【図１３】第５実施形態に係る電気泳動表示装置の駆動方法を説明するためのタイミングチャートである。
【発明を実施するための形態】
【００２７】
以下では、本発明の実施形態について図を参照しつつ説明する。
【００２８】
＜第１実施形態＞
第１実施形態に係る電気泳動表示装置の駆動方法について、図１から図８を参照して説明する。
【００２９】
先ず、本実施形態に係る電気泳動表示装置の全体構成について、図１及び図２を参照して説明する。
【００３０】
図１は、本実施形態に係る電気泳動表示装置の全体構成を示すブロック図である。
【００３１】
図１において、本実施形態に係る電気泳動表示装置１は、表示部３と、コントローラー１０と、走査線駆動回路６０と、データ線駆動回路７０と、共通電位供給回路２２０とを備えている。
【００３２】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３３】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３４】
走査線駆動回路６０は、コントローラー１０から供給されるタイミング信号に基づいて、走査線Ｙ１、Ｙ２、…、Ｙｍの各々に走査信号を供給する。
【００３５】
データ線駆動回路７０は、コントローラー１０から供給されるタイミング信号に基づいて、データ線Ｘ１、Ｘ２、…、Ｘｎにデータ信号を供給する。データ信号は、高電位ＶＨ（例えば１５Ｖ）又は低電位ＶＬ（例えば０Ｖ）の２値的な電位をとる。
【００３６】
共通電位供給回路２２０は、共通電位線９３に共通電位Ｖｃｏｍを供給する。
【００３７】
尚、コントローラー１０、走査線駆動回路６０、データ線駆動回路７０及び共通電位供給回路２２０には、各種の信号が入出力されるが、本実施形態と特に関係のないものについては説明を省略する。
【００３８】
図２は、画素の電気的な構成を示す等価回路図である。
【００３９】
図２において、画素２０は、画素スイッチング用トランジスター２４及びコンデンサー（保持容量）２７を有する画素回路（即ち、１Ｔ１Ｃ型の画素回路）と、画素電極２１と、共通電極２２と、電気泳動層２３とを備えている。
【００４０】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及びコンデンサー２７に電気的に接続されている。画素スイッチング用トランジスター２４は、データ線駆動回路７０（図１参照）からデータ線５０を介して供給されるデータ信号を、走査線駆動回路６０（図１参照）から走査線４０を介して供給される走査信号に応じたタイミングで、画素電極２１及びコンデンサー２７に出力する。
【００４１】
画素電極２１には、データ線駆動回路７０からデータ線５０及び画素スイッチング用トランジスター２４を介して、データ信号が供給される。画素電極２１は、電気泳動層２３を介して共通電極２２と互いに対向するように配置されている。
【００４２】
共通電極２２は、共通電位Ｖｃｏｍが供給される共通電位線９３に電気的に接続されている。
【００４３】
電気泳動層２３は、電気泳動粒子をそれぞれ含んでなる複数のマイクロカプセルから構成されている。
【００４４】
コンデンサー２７は、誘電体膜を介して対向配置された一対の電極からなり、一方の電極が、画素電極２１及び画素スイッチング用トランジスター２４に電気的に接続され、他方の電極が共通電位線９３に電気的に接続されている。コンデンサー２７によってデータ信号を一定期間だけ維持することができる。
【００４５】
次に、本実施形態に係る電気泳動表示装置の表示部の具体的な構成について、図３及び図４を参照して説明する。
【００４６】
図３は、本実施形態に係る電気泳動表示装置の表示部の部分断面図である。
【００４７】
図３において、表示部３は、素子基板２８と対向基板２９との間に電気泳動層２３が挟持される構成となっている。尚、本実施形態では、対向基板２９側に画像を表示することを前提として説明する。
【００４８】
素子基板２８は、例えばガラスやプラスチック等からなる基板である。素子基板２８上には、ここでは図示を省略するが、図２を参照して上述した画素スイッチング用トランジスター２４、コンデンサー２７、走査線４０、データ線５０、共通電位線９３等が作り込まれた積層構造が形成されている。この積層構造の上層側に複数の画素電極２１がマトリクス状に設けられている。
【００４９】
対向基板２９は、例えばガラスやプラスチック等からなる透明な基板である。対向基板２９における素子基板２８との対向面上には、共通電極２２が複数の画素電極２１と対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５０】
電気泳動層２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動層２３が予め対向基板２９側にバインダー３０によって固定されてなる電気泳動シートが、別途製造された、画素電極２１等が形成された素子基板２８側に接着層３１によって接着されて構成されている。
【００５１】
マイクロカプセル８０は、画素電極２１及び共通電極２２間に挟持され、１つの画素２０内に（言い換えれば、１つの画素電極２１に対して）１つ又は複数配置されている。
【００５２】
図４は、マイクロカプセルの構成を示す模式図である。尚、図４では、マイクロカプセルの断面を模式的に示している。
【００５３】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５４】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５５】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５６】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５７】
黒色粒子８３は、例えば、アニリンブラック、カーボンブラック等の黒色顔料からなる粒子（高分子或いはコロイド）であり、例えば正に帯電されている。
【００５８】
このため、白色粒子８２及び黒色粒子８３は、画素電極２１と共通電極２２との間の電位差によって発生する電場によって、分散媒８１中を移動することができる。
【００５９】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００６０】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００６１】
尚、以下では、共通電極２２の電位が画素電極２１の電位よりも高い場合に共通電極２２と画素電極２１との間に生じる電位差（即ち、電圧）を「正極性の電圧」と適宜称し、共通電極２２の電位が画素電極２１の電位よりも低い場合に共通電極２２と画素電極２１との間に生じる電位差を「負極性の電圧」と適宜称する。尚、共通電極２２は本発明に係る「第１電極」の一例であり、画素電極２１は本発明に係る「第２電極」の一例である。
【００６２】
即ち、画素２０に正極性の電圧を印加することにより、該画素２０に白色を表示させることができ、画素２０に負極性の電圧を印加することにより、該画素２０に黒色を表示させることができる。尚、画素２０が白色を表示する状態は本発明に係る「第１表示状態」の一例であり、画素２０が黒色を表示する状態は本発明に係る「第２表示状態」の一例である。
【００６３】
共通電極２２を「第２電極」とし、画素電極２１を「第１電極」としてもよい。
【００６４】
更に、画素電極２１及び共通電極２２間における白色粒子８２及び黒色粒子８３の分布状態によって、白色と黒色との中間調（即ち、中間階調）である、ライトグレー、グレー、ダークグレー等の灰色を表示することができる。例えば、画素電極２１と共通電極２２との間に相対的に共通電極２２の電位が高くなるように電圧を印加することで（即ち、正極性の電圧を印加することで）、マイクロカプセル８０の表示面側に白色粒子８２を集めると共に画素電極２１側に黒色粒子８３を集めた後に、表示すべき中間調に応じた所定期間だけ、画素電極２１と共通電極２２との間に相対的に画素電極２１の電位が高くなるように電圧を印加することで（即ち、負極性の電圧を印加することで）、マイクロカプセル８０の表示面側に黒色粒子８３を所定量だけ移動させると共に画素電極２１側に白色粒子８２を所定量だけ移動させる。この結果、表示部３の表示面に白色と黒色との中間調である灰色を表示することができる。
【００６５】
尚、白色粒子８２、黒色粒子８３に用いる顔料を、例えば赤色、緑色、青色等の顔料に代えることによって、赤色、緑色、青色等を表示することができる。
【００６６】
次に、本実施形態に係る電気泳動表示装置の駆動方法について、図５から図８を参照して説明する。
【００６７】
以下では、説明の便宜上、本実施形態に係る電気泳動表示装置の駆動方法によって、図５に示すように、中間調を含む画像を３行×３列分の画素２０が配列された表示部３に表示させる場合を例にとる。ここに図５は、中間調を含む画像の一例を表示した状態の電気泳動表示装置の表示部を示す模式図である。
【００６８】
即ち、図５に示すように、画素ＰＸ（１，１)に灰色（Ｇ）を表示させ、画素ＰＸ（１，２)に白色（Ｗ）を表示させ、画素ＰＸ（１，３)に灰色（Ｇ）を表示させ、画素ＰＸ（２，１)に灰色（Ｇ）を表示させ、画素ＰＸ（２，２)に灰色（Ｇ）を表示させ、画素ＰＸ（２，３)に灰色（Ｗ）を表示させ、画素ＰＸ（３，１)に灰色（Ｇ）を表示させ、画素ＰＸ（３，２)に灰色（Ｇ）を表示させ、画素ＰＸ（３，３)に灰色（Ｗ）を表示させる場合を例にとる。尚、表示部３には、３行×３列分の画素２０（即ち、画素ＰＸ（１，１)、ＰＸ（１，２)、ＰＸ（１，３)、…、ＰＸ（３，１)、ＰＸ（３，２)、ＰＸ（３，３)）がマトリクス状に配列されている。また、表示部３には、３本の走査線４０（即ち、走査線Ｙ１、Ｙ２及びＹ３）と、３本のデータ線５０（データ線Ｘ１、Ｘ２及びＸ３）とが設けられている（図１参照）。画素ＰＸ（１，１)は走査線Ｙ１とデータ線Ｘ１との交差に対応して配置され、画素ＰＸ（１，２)は走査線Ｙ１とデータ線Ｘ２との交差に対応して配置され、画素ＰＸ（１，３)は走査線Ｙ１とデータ線Ｘ３との交差に対応して配置され、画素ＰＸ（２，１)は走査線Ｙ２とデータ線Ｘ１との交差に対応して配置され、画素ＰＸ（２，２)は走査線Ｙ２とデータ線Ｘ２との交差に対応して配置され、画素ＰＸ（２，３)は走査線Ｙ２とデータ線Ｘ３との交差に対応して配置され、画素ＰＸ（３，１)は走査線Ｙ３とデータ線Ｘ１との交差に対応して配置され、画素ＰＸ（３，２)は走査線Ｙ３とデータ線Ｘ２との交差に対応して配置され、画素ＰＸ（３，３)は走査線Ｙ３とデータ線Ｘ３との交差に対応して配置されている。
【００６９】
図６は、本実施形態に係る電気泳動表示装置の駆動方法を示すフローチャートである。
【００７０】
図６において、本実施形態に係る電気泳動表示装置の駆動方法によれば、例えば図５に示すような中間調を含む画像を表示する際、先ず、全白表示を行う（ステップＳＴ１０）。即ち、表示部３における全ての画素２０に正極性の電圧を印加することにより、全ての画素２０に白色（Ｗ）を表示させる。より具体的には、例えば画素ＰＸ（１，１)においては、画素スイッチング用トランジスター２４を介してデータ線Ｘ１からコンデンサー２７にデータ信号を蓄え、画素電極２１に高電位ＶＨの電圧を所定時間だけ供給すると共に、共通電位供給回路２２０から共通電極２２に、低電位ＶＬで一定の共通電位Ｖｃｏｍを供給する。
【００７１】
次に、黒書き込みを行う（ステップＳＴ２０）。即ち、表示部３における灰色（Ｇ）を表示すべき画素２０（即ち、図５に示す例では、画素ＰＸ（１，１）、ＰＸ（１，３）、ＰＸ（２，１）、ＰＸ（２，２）、ＰＸ（３，１）、ＰＸ（３，２））の画素電極２１と共通電極２２との間に負極性の駆動電圧を印加することにより、黒色粒子８３を共通電極２２側（即ち、表示面側）に所定量だけ移動させると共に白色粒子８２を画素電極２１側に所定量だけ移動させる。
【００７２】
次に、白書き込みを行う（ステップＳＴ３０）。即ち、表示部３における灰色（Ｇ）を表示すべき画素２０（言い換えれば、黒書き込み（ステップＳＴ２０）が行われた画素２０）の画素電極２１と共通電極２２との間に正極性の電圧を所定時間だけ印加することにより、黒色粒子８３を共通電極２２側（即ち、表示面側）に移動させると共に白色粒子８２を画素電極２１側に移動させる。これにより、灰色を表示すべき画素２０において表示すべき灰色（即ち、目的の濃度の灰色）を表示させる。
【００７３】
図７を用いて本発明による作用を説明する。図７は、本実施形態に係る電気泳動表示装置の動作を示す概念図である。尚、図７は、黒書き込み（ステップＳＴ２０）及び白書き込み（ステップＳＴ３０）による、灰色（Ｇ）を表示すべき画素２０に表示される色の濃度の変化を概念的に示している。時刻ｔ１から時刻ｔ２はステップＳＴ２０に対応し、時刻ｔ３から時刻ｔ４はステップＳＴ３０に対応している。また、プロット１は第１の画素における明るさ（色の濃度）の変化を示し、プロット２は第２の画素における明るさ（色の濃度）の変化を示し、プロット３は第３の画素における明るさ（色の濃度）の変化を示している。また、Δｔは電圧を印加してから明るさが変化し始めるまでの遅れ時間であり、Δｔ２０１は第１の画素におけるステップＳＴ２０での遅れ時間であり、Δｔ２０２は第２の画素におけるステップＳＴ２０での遅れ時間であり、Δｔ２０３は第３の画素におけるステップＳＴ２０での遅れ時間であり、Δｔ３０１は第１の画素におけるステップＳＴ３０での遅れ時間であり、Δｔ３０２は第２の画素におけるステップＳＴ３０での遅れ時間であり、Δｔ３０３は第３の画素におけるステップＳＴ３０での遅れ時間である。
【００７４】
ここで、第１の画素において表示すべき階調と第２の画素において表示すべき階調と第３の画素において表示すべき階調は、いずれも階調Ｇ０であり、第１の画素と第２の画素と第３の画素各々に互いに同一の持続時間を有する負極性の駆動電圧を印加するものとする。本来、ステップＳＴ２０において、第１の画素と第２の画素と第３の画素各々に、階調Ｇ０を表示するために互いに同一の持続時間を有する負極性の駆動電圧を印加した場合、ステップＳＴ２０が終了する時刻ｔ２において、第１の画素の明るさと第２の画素の明るさと第３の画素の明るさとはいずれもＧ０になるはずである。しかし、実際には図７に示したように、画素によって遅れ時間Δｔが異なる場合があるため、時刻ｔ２において、第１の画素の明るさはＧ１となり、第２の画素の明るさはＧ２となり、第３の画素の明るさはＧ３（Ｇ０）となる。明るさＧ１と明るさＧ３（Ｇ０）との差が表示画像のノイズとして視認される。このようなノイズは、階調を表示するために印加する電圧の持続時間が短いほど顕著である。
【００７５】
そこで本発明による駆動方法は、ステップＳＴ２０の後にステップＳＴ３０を有している。まず、ステップＳＴ２０において、前述したように第１の画素と第２の画素と第３の画素各々に互いに同一の持続時間を有する負極性の駆動電圧を印加する。次に、ステップＳＴ３０において、第１の画素と第２の画素と第３の画素各々に互いに同一の持続時間を有する正極性の補償電圧を印加すると、第１の画素の明るさは遅れ時間Δｔ３０１の後に明るい方向に向かって変化し始め、第２の画素の明るさは遅れ時間Δｔ３０２の後に明るい方向に向かって変化し始める。しかしここでは、ステップＳＴ３０の継続時間は第３の画素の遅れ時間Δｔ３０３と等しく設定されているため、第３の画素の明るさはステップＳＴ３０の間に変化することはなく、明るさＧ０を維持する。
【００７６】
発明者らの実験によれば、遅れ時間が生じる原因は、電気泳動粒子が動き始めるための閾値電圧が存在するということと、コンデンサー２７に十分な電荷が蓄えられなければ電気泳動層に十分な電圧が印加されない、ということが関係していると考えられる。電気泳動粒子が動き始めるために十分な電圧が画素に印加されるためには、コンデンサー２７に十分な電荷が蓄えられなければならない。しかし、製造上のばらつきのためにコンデンサー２７の充電速度に個体差があれば、コンデンサー２７に電圧を印加してから画素に十分な電圧が印加されるまでに必要な時間が、画素によって異なると考えられる。この現象が画素による遅れ時間Δｔの差の原因の１つと考えられる。そして、遅れ時間Δｔ２０１は遅れ時間Δｔ３０１とほぼ等しく、遅れ時間Δｔ２０２は遅れ時間Δｔ３０２とほぼ等しく、遅れ時間Δｔ２０３は遅れ時間Δｔ３０３とほぼ等しい。
【００７７】
かくしてステップＳＴ３０の終了時刻ｔ４においては、第１の画素の明るさと第２の画素の明るさと第３の画素の明るさはいずれもほぼ同じとなり、第１の画素と第２の画素と第３の画素各々において、目的とする階調Ｇ０と同じかほぼ同じ階調を表示することができる。すなわち、表示画像のノイズを低減することができる。
【００７８】
ステップＳＴ３０において、２つの画素各々に印加する補償電圧の持続時間が互いに異なっていても、２つの画素各々の明るさの差を小さくすることができるため、表示画像のノイズを低減する効果が得られる。しかし、２つの画素各々によって表示する階調間の明るさの差が小さい場合には、ノイズの大きさをその差よりも小さくしなければならないため、当該２つの画素各々に印加する補償電圧の持続時間を互いに等しくした方が、より効果的に表示画像のノイズを低減することができる。
【００７９】
図７においては、ステップＳＴ３０の継続時間は第３の画素の遅れ時間Δｔ３０３と等しく設定されているが、必ずしも等しくする必要はない。ステップＳＴ３０の継続時間は、少なくとも第３の画素の遅れ時間Δｔ３０１よりも長ければノイズを低減する効果が得られる。また、ステップＳＴ３０の継続時間が第３の画素の遅れ時間Δｔ３０３よりも長ければ、第１の画素の明るさと第２の画素の明るさと第３の画素の明るさはいずれも波線に示したように明るい状態に向かって変化するが、ステップＳＴ３０が終了したときには、第１の画素の明るさと第２の画素の明るさと第３の画素の明るさはいずれもほぼ同じ階調を表示することができる。すなわち、表示画像のノイズを低減することができる。
【００８０】
また、図７においては、ステップＳＴ２０とステップＳＴ３０との間に間隔が空いているが、その間隔は短い方がより効果的に表示画像のノイズを低減することができる。好ましくは、その間隔がない方がよい。
【００８１】
図８は、本実施形態に係る電気泳動表示装置の駆動方法を詳細に説明するためのタイミングチャートである。尚、図８は、黒書き込み（ステップＳＴ２０）及び白書き込み（ステップＳＴ３０）における、データ線Ｘ１、Ｘ２及びＸ３、走査線Ｙ１、Ｙ２及びＹ３、並びに共通電極２２の電位の変動を示している。また、Ｖ１１は画素ＰＸ（１，１)に印加される駆動電圧波形を示している。
【００８２】
図８に示すように、走査線Ｙ１、Ｙ２及びＹ３の各々が選択される期間（即ち、走査線Ｙ１、Ｙ２及びＹ３の各々の電位がハイレベルとなる期間）毎に、黒書き込み（ステップＳＴ２０）及び白書き込み（ステップＳＴ３０）が行われる。黒書き込み（ステップＳＴ２０）では、灰色を表示すべき画素２０に持続時間Ｔａ１を有する負極性の駆動電圧パルスＰａ１が印加される。白書き込み（ステップＳＴ３０）では、すべての画素２０に持続時間Ｔｃ１を有する正極性の補償電圧パルスＰｃ１が印加される。
【００８３】
具体的には、白表示（ステップＳＴ１０）が行われた後に、先ず、走査線Ｙ１がハイレベルとされる（即ち、走査線Ｙ１にハイレベルの走査信号が供給される）。走査線Ｙ１がハイレベルとなる期間において、データ線Ｘ１に時間Ｔａ１だけ高電位ＶＨで一定のデータ信号が供給され、データ線Ｘ２に低電位ＶＬで一定のデータ信号が供給され、データ線Ｘ３に時間Ｔａ１だけ高電位ＶＨで一定のデータ信号が供給されると共に共通電極２２が低電位ＶＬとされる（即ち、共通電位Ｖｃｏｍが低電位ＶＬとされる）ことにより黒書き込み（ステップＳＴ２０）が行われ、この黒書き込み後、データ線Ｘ１、Ｘ２及びＸ３に低電位ＶＬで一定のデータ信号が供給されると共に共通電極２２が高電位ＶＨとされる（即ち、共通電位Ｖｃｏｍが高電位ＶＬとされる）ことにより白書き込み（ステップＳＴ３０）が行われる。
【００８４】
次に、走査線Ｙ２がハイレベルとされる。走査線Ｙ２がハイレベルとなる期間において、データ線Ｘ１に時間Ｔａ１だけ高電位ＶＨで一定のデータ信号が供給され、データ線Ｘ２に時間Ｔａ１だけ高電位ＶＨで一定のデータ信号が供給され、データ線Ｘ３に低電位ＶＬで一定のデータ信号が供給されると共に共通電極２２が低電位ＶＬとされることにより黒書き込み（ステップＳＴ２０）が行われ、この黒書き込み後、データ線Ｘ１、Ｘ２及びＸ３に低電位ＶＬで一定のデータ信号が供給されると共に共通電極２２が高電位ＶＨとされることにより白書き込み（ステップＳＴ３０）が行われる。
【００８５】
次に、走査線Ｙ３がハイレベルとされる。走査線Ｙ３がハイレベルとなる期間において、データ線Ｘ１に時間Ｔａ１だけ高電位ＶＨで一定のデータ信号が供給され、データ線Ｘ２に時間Ｔａ１だけ高電位ＶＨで一定のデータ信号が供給され、データ線Ｘ３に低電位ＶＬで一定のデータ信号が供給されると共に共通電極２２が低電位ＶＬとされることにより黒書き込み（ステップＳＴ２０）が行われ、この黒書き込み後、データ線Ｘ１、Ｘ２及びＸ３に低電位ＶＬで一定のデータ信号が供給されると共に共通電極２２が高電位ＶＨとされることにより白書き込み（ステップＳＴ３０）が行われる。
【００８６】
このような駆動方法によれば、図５に示した中間調を含む画像を表示部３に高品位に表示させることができる。
【００８７】
ここで、上述したように、本実施形態では、白表示（ステップＳＴ１０）を行った後に図５に示したような中間調を含む画像を表示する際、黒書き込み（ステップＳＴ２０）を行った後に白書き込み（ステップＳＴ３０）を行う。即ち、白表示（ステップＳＴ１０）が行われた画素２０に中間調を表示させる際、該画素２０に負極性の駆動電圧パルスＰａ１を印加した後、すべての画素２０に正極性の補償電圧パルスＰｃ１を印加する。これにより、表示画像のノイズを低減或いは除去することができる。即ち、同一の中間調を表示すべき画素２０間で異なる中間調が表示されてしまうことを低減することができる。つまり、本実施形態に係る電気泳動表示装置の駆動方法によれば、例えば、中間調を表示すべき画素２０に負極性の駆動電圧パルスのみを印加することにより該画素２０に中間調を表示させる場合と比較して、上述したように駆動電圧を印加する時間が短いほど顕著に発生する傾向があるノイズ（即ち、中間調を表示する際のノイズ）を効果的に低減或いは除去することができる。この結果、高品位な表示を行うことができる。
【００８８】
以上説明したように、本実施形態に係る電気泳動表示装置の駆動方法によれば、中間調を表示する際のノイズを低減でき、高品位な表示を行うことが可能となる。
（変形例）
上述した第１実施形態では、全白表示（ステップＳＴ１０）を行った後に中間調を含む画像を表示部３に表示させる場合を例にとったが、本変形例のように、全黒表示を行った後（即ち、全ての画素２０に黒色を表示させた後）に、中間調を含む画像を表示部３に表示させてもよい。
【００８９】
即ち、本変形例に係る電気泳動表示装置の駆動方法では、全黒表示を行った後に、白書き込み（ステップＳＴ２０ｂ）及び黒書き込み（ステップＳＴ３０ｂ）をこの順に行う。白書き込み（ステップＳＴ２０ｂ）では、灰色を表示すべき画素２０に、所定時間だけ画素電極２１と共通電極２２との間に正極性の電圧を印加する。黒書き込み（ステップＳＴ３０ｂ）では、第１実施形態と同様に補償電圧パルスを印加するが、本変形例に於いては、補償電圧パルスの極性は負極性である。このようにして該画素２０において表示すべき灰色（即ち、目的の濃度の灰色）を表示させる。
【００９０】
このような本変形例に係る電気泳動表示装置の駆動方法によっても、上述した第１実施形態に係る電気泳動表示装置の駆動方法と同様に、中間調を表示する際のノイズを低減でき、高品位な表示を行うことが可能となる。
【００９１】
＜第２実施形態＞
次に、第２実施形態に係る電気泳動表示装置の駆動方法について、図９を参照して説明する。
【００９２】
図９は、第２実施形態に係る電気泳動表示装置の駆動方法を説明するためのタイミングチャートであり、上述した第１実施形態で示した図８と同趣旨の図である。
【００９３】
尚、以下では、第２実施形態に係る電気泳動表示装置の駆動方法が上述した第１実施形態に係る電気泳動表示装置の駆動方法と異なる点について主に説明し、上述した第１実施形態に係る電気泳動表示装置の駆動方法と同様の点については説明を適宜省略する。また、第２実施形態においても、上述した第１実施形態と同様に、図５に示す中間調を含む画像を表示部３に表示させる場合を例にとる。
【００９４】
図８を参照して上述した第１実施形態では、走査線Ｙ１、Ｙ２及びＹ３の各々が選択される期間毎に、黒書き込み（ステップＳＴ２０）及び白書き込み（ステップＳＴ３０）が行ったが、図９に示す第２実施形態のように、灰色を表示すべき全ての画素２０に黒書き込み（ステップＳＴ２０）を行った後に、すべての画素２０に白書き込み（ステップＳＴ３０）を行ってもよい。
【００９５】
即ち、図９に示すように、第２実施形態に係る電気泳動表示装置の駆動方法によれば、全白表示（ステップＳＴ１０）を行った後に、先ず、走査線４０（即ち、走査線Ｙ１、Ｙ２及びＹ３）を順次選択し、この走査線４０が選択される期間毎に黒書き込み（ステップＳＴ２０）を行う。この際、上述した第１実施形態とは異なり、白書き込み（ステップＳＴ３０）を行わない。言い換えれば、全白表示（ステップＳＴ１０）を行った後に、先ず、表示部３における灰色を表示すべき全ての画素２０（即ち、図５に示す例では、画素ＰＸ（１，１）、ＰＸ（１，３）、ＰＸ（２，１）、ＰＸ（２，２）、ＰＸ（３，１）、ＰＸ（３，２））に黒書き込み（ステップＳＴ２０）を行う。即ち、表示部３における灰色を表示すべき全ての画素２０に負極性の駆動電圧パルスＰａ１を印加する。
【００９６】
このように表示部３における灰色を表示すべき全ての画素２０に黒書き込み（ステップＳＴ２０）を行った後に、再び走査線４０（即ち、走査線Ｙ１、Ｙ２及びＹ３）を順次選択し、この走査線４０が選択される期間毎に白書き込み（ステップＳＴ２０）を行う。即ち、表示部３における灰色を表示すべき全ての画素２０に負極性の駆動電圧パルスＰａ１を印加した後に、表示部３のすべての画素２０に正極性の補償電圧パルスＰｃ１を印加する。
【００９７】
このような第２実施形態に係る電気泳動表示装置の駆動方法によっても、上述した第１実施形態に係る電気泳動表示装置の駆動方法と同様に、例えば、中間調を表示すべき画素２０に負極性の駆動電圧パルスのみを印加することにより該画素２０に中間調を表示させる場合と比較して、中間調を表示する際のノイズを低減でき、高品位な表示を行うことが可能となる。
【００９８】
＜第３実施形態＞
次に、第３実施形態に係る電気泳動表示装置の駆動方法について、図１０及び図１１を参照して説明する。
【００９９】
以下では、図１０に示すような複数の中間調を含む画像を表示部３に表示させる場合を例にとる。ここに図１０は、複数の中間調を含む画像の一例を表示した状態の電気泳動表示装置の表示部を示す模式図である。尚、図１０に示す複数の中間調を含む画像は、８階調の画像であり、第０階調が黒色に相当し、第１から第６階調がそれぞれ濃度の異なる灰色に相当し、第７階調が白色に相当する。
【０１００】
即ち、図１０に示すように、画素ＰＸ（１，１)に第０階調を表示させ、画素ＰＸ（１，２)に第５階調を表示させ、画素ＰＸ（１，３)に第３階調を表示させ、画素ＰＸ（２，１)に第１階調を表示させ、画素ＰＸ（２，２)に第０階調を表示させ、画素ＰＸ（２，３)に第７階調を表示させ、画素ＰＸ（３，１)に第２階調を表示させ、画素ＰＸ（３，２)に第２階調を表示させ、画素ＰＸ（３，３)に第５階調を表示させる場合を例にとる。
【０１０１】
図１１は、第３実施形態に係る電気泳動表示装置の駆動方法を説明するためのタイミングチャートであり、上述した第２実施形態で示した図９と同趣旨の図である。
【０１０２】
第３実施形態に係る電気泳動表示装置の駆動方法は、複数の中間調を含む画像を表示する場合の駆動方法である点で、上述した第２実施形態に係る電気泳動表示装置の駆動方法と異なり、その他の点については、上述した第２実施形態に係る電気泳動表示装置の駆動方法と概ね同様である。よって、以下では、第３実施施形態に係る電気泳動表示装置の駆動方法が上述した第２実施形態に係る電気泳動表示装置の駆動方法と異なる点について主に説明し、上述した第２実施形態に係る電気泳動表示装置の駆動方法と同様の点については説明を適宜省略する。
【０１０３】
図１１に示すように、第３実施形態に係る電気泳動表示装置の駆動方法によれば、表示部３における複数の画素２０のうち第７階調（即ち、白色）を表示すべき画素ＰＸ（２，３)を除く画素２０（即ち、第０から第６階調のいずれかを表示すべき画素２０）に黒書き込み（ステップＳＴ２１、ＳＴ２２及びＳＴ２３）をすべて行った後に、すべての画素２０に白書き込み（ステップＳＴ３０）を行う。
【０１０４】
尚、第３実施形態では、互いに持続時間が異なる３種類の負極性の駆動電圧パルスＰｂ１、Ｐｂ２及びＰｂ３のうち少なくとも１の負極性の駆動電圧パルスを画素２０に印加することにより、該画素２０において第０から第７階調のいずれかを表示する。負極性の駆動電圧パルスＰｂ１の持続時間Ｔｂ１は、負極性の駆動電圧パルスＰｂ３の持続時間Ｔｂ３の４倍であり、負極性の駆動電圧パルスＰｂ２の持続時間Ｔｂ２は、負極性の駆動電圧パルスＰｂ３の持続時間Ｔｂ３の２倍である（即ち、負極性の駆動電圧パルスＰｂ１の持続時間Ｔｂ１の１／２倍である）。ただしこれらの比率は、８つの階調を表示できるように、電気泳動粒子の動きやすさなどに応じて適宜設定すればよい。画素２０に負極性の駆動電圧パルスＰｂ１、Ｐｂ２及びＰｂ３が印加された場合には、該画素２０は第０階調（即ち、黒色）を表示し、画素２０に負極性の駆動電圧パルスＰｂ１及びＰｂ２が印加された場合には、該画素２０は第１階調を表示し、画素２０に負極性の駆動電圧パルスＰｂ１及びＰｂ３が印加された場合には、該画素２０は第２階調を表示し、画素２０に負極性の駆動電圧パルスＰｂ１が印加された場合には、該画素２０は第３階調を表示し、画素２０に負極性の駆動電圧パルスＰｂ２及びＰｂ３が印加された場合には、該画素２０は第４階調を表示し、画素２０に負極性の駆動電圧パルスＰｂ２が印加された場合には、該画素２０は第５階調を表示し、画素２０に負極性の駆動電圧パルスＰｂ３が印加された場合には、該画素２０は第６階調を表示し、画素２０に負極性の駆動電圧パルスＰｂ１、Ｐｂ２及びＰｂ３のいずれも印加されない場合には、該画素２０は第０階調を表示する。
【０１０５】
即ち、図１１に示すように、第３実施形態に係る電気泳動表示装置の駆動方法によれば、全白表示（ステップＳＴ１０）を行った後に、先ず、走査線４０（即ち、走査線Ｙ１、Ｙ２及びＹ３）を順次選択し、この走査線４０が選択される期間毎に負極性の駆動電圧パルスＰｂ１を印加する黒書き込み（ステップＳＴ２１）を行う。この黒書き込み（ステップＳＴ２１）では、第０から第３階調のいずれかを表示すべき画素２０（即ち、図１０の例では、画素ＰＸ（１，１）、ＰＸ（２，１）、ＰＸ（３，１）、ＰＸ（２，２）、ＰＸ（２，３）及びＰＸ（１，３））に負極性の駆動電圧パルスＰｂ１が印加される。次に、再び走査線４０（即ち、走査線Ｙ１、Ｙ２及びＹ３）を順次選択し、この走査線４０が選択される期間毎に負極性の駆動電圧パルスＰｂ２を印加する黒書き込み（ステップＳＴ２２）を行う。この黒書き込み（ステップＳＴ２２）では、第０、第１、第４及び第５階調のいずれかを表示すべき画素２０（即ち、図１０の例では、画素ＰＸ（１，１）、ＰＸ（２，２）、ＰＸ（２，１）、ＰＸ（２，２）及びＰＸ（３，３））に負極性の駆動電圧パルスＰｂ１が印加される。次に、再び走査線４０（即ち、走査線Ｙ１、Ｙ２及びＹ３）を順次選択し、この走査線４０が選択される期間毎に負極性の駆動電圧パルスＰｂ３を印加する黒書き込み（ステップＳＴ２３）を行う。この黒書き込み（ステップＳＴ２３）では、第０、第２、第４及び第６階調のいずれかを表示すべき画素２０（即ち、図１０の例では、画素ＰＸ（１，１）、ＰＸ（２，２）、ＰＸ（３，１）及びＰＸ（３，２））に負極性の駆動電圧パルスＰｂ３が印加される。
【０１０６】
このように表示部３における全ての画素２０に黒書き込み（ステップＳＴ２１、ＳＴ２２及びＳＴ２３）を行った後、再び走査線４０（即ち、走査線Ｙ１、Ｙ２及びＹ３）を順次選択し、この走査線４０が選択される期間毎に白書き込み（ステップＳＴ２０）を行う。即ち、表示部３における全ての画素２０について、負極性の駆動電圧パルスＰｂ１、Ｐｂ２及びＰｂ３のうち、目的とする階調を表示するために必要な負極性の駆動電圧パルスをすべて印加した後に、表示部３のすべての画素２０に正極性の補償電圧パルスＰｃ１を印加する。
【０１０７】
このような第３実施形態に係る電気泳動表示装置の駆動方法によれば、図１０に示した複数の中間調を有する画像を表示部３に高品位に表示させることができる。
【０１０８】
ここで、本実施形態では、上述したように、白表示（ステップＳＴ１０）を行った後に図１０に示したような複数の中間調を含む画像を表示する際、黒書き込み（ステップＳＴ２１、ＳＴ２２及びＳＴ２３）を行った後に白書き込み（ステップＳＴ３０）を行う。従って、この白書き込み（ステップＳＴ３０）によって、表示部３に配列された複数の画素２０によって表示される画像のノイズを低減或いは除去することができる。
【０１０９】
更に、本実施形態では、正極性の補償電圧パルスＰｃ１の持続時間Ｔｃ１は、負極性の駆動電圧パルスＰｂ１、Ｐｂ２及びＰｂ３の総持続時間（即ち、持続時間Ｔｂ１、Ｔｂ２及びＴｂ３の和）よりも短い。よって、表示される画像のノイズを効果的に低減或いは除去することができる。また、正極性の補償電圧パルスＰｃ１の持続時間Ｔｃ１が負極性の駆動電圧パルスＰｂ１、Ｐｂ２及びＰｂ３の総持続時間よりも長い場合と比較して、中間調を速やかに表示することができる（即ち、画素２０が表示すべき中間調を表示するのに必要とする時間を短くすることができる）。更に、正極性の補償電圧パルスＰｃ１を印加するのに必要となる消費電力を抑制することができる。
【０１１０】
＜第４実施形態＞
次に、第４実施形態に係る電気泳動表示装置の駆動方法について、図１２を参照して説明する。
【０１１１】
図１２は、第４実施形態に係る電気泳動表示装置の駆動方法を説明するためのタイミングチャートであり、上述した第３実施形態で示した図１１と同趣旨の図である。
【０１１２】
尚、以下では、第４実施形態に係る電気泳動表示装置の駆動方法が上述した第３実施形態に係る電気泳動表示装置の駆動方法と異なる点について主に説明し、上述した第３実施形態に係る電気泳動表示装置の駆動方法と同様の点については説明を適宜省略する。また、第４実施形態においても、上述した第３実施形態と同様に、図１０に示す複数の中間調を含む画像を表示部３に表示させる場合を例にとる。
【０１１３】
上述した第３実施形態に係る電気泳動表示装置の駆動方法では、黒書き込み（ステップＳＴ２１、ＳＴ２２及びＳＴ２３）を行った後に全ての画素２０に正極性の補償電圧パルスＰｃ１を印加する白書き込み（ステップＳＴ３０）を行ったが、本実施形態のように、中間調を表示する画素２０のみに正極性の補償電圧パルスＰｃ１を印加する白書き込み（ステップＳＴ３１）を行ってもよい。
【０１１４】
即ち、図１２に示すように、本実施形態に係る電気泳動表示装置の駆動方法では、全白表示（ステップＳＴ１０）を行った後に、黒書き込み（ステップＳＴ２１、ＳＴ２２及びＳＴ２３）及び白書き込み（ステップＳＴ３１）を行う。白書き込み（ステップＳＴ３１）では、中間調を表示する画素２０（即ち、第１から第６階調のいずれかを表示する画素２０）に正極性の補償電圧パルスＰｃ１を印加し、最低階調又は最高階調を表示する画素２０（即ち、第０又は第７階調を表示する画素２０）には正極性の補償電圧パルスＰｃ１を印加しない。言い換えれば、白書き込み（ステップＳＴ３１）では、共通電極２２は高電位ＶＨとされ、且つ、中間調を表示する画素２０には低電位ＶＬのデータ信号が供給されると共に、最低階調又は最高階調を表示する画素２０には高電位ＶＨのデータ信号が供給される。図１０に示す例において、白書き込み（ステップＳＴ３１）では、中間調を表示する画素２０である画素ＰＸ（１，２)、ＰＸ（１，３)、ＰＸ（２，１）、ＰＸ（３，１)、ＰＸ（３，２)及びＰＸ（３，３)に正極性の補償電圧パルスＰｃ１を印加し、最低階調又は最高階調を表示する画素２０である画素ＰＸ（１，１)、ＰＸ（２，２)及びＰＸ（２，３)に正極性の補償電圧パルスＰｃ１を印加しない（即ち、画素電極２１及び共通電極２２間に電位差を生じさせない）。
【０１１５】
よって、例えば、黒色（即ち、第０階調）を表示する画素２０に正極性の補償電圧パルスＰｃ１が印加されることにより、該画素２０の表示する色（或いは階調）が白色（即ち、第７階調）側にずれてしまうことを防止できる。従って、表示される画像のノイズを効果的に低減或いは除去することができるだけでなく、コントラストを高めることができる。
【０１１６】
＜第５実施形態＞
次に、第５実施形態に係る電気泳動表示装置の駆動方法について、図１３を参照して説明する。
【０１１７】
図１３は、第５実施形態に係る電気泳動表示装置の駆動方法を説明するためのタイミングチャートであり、上述した第３実施形態で示した図１１と同趣旨の図である。
【０１１８】
尚、以下では、第５実施形態に係る電気泳動表示装置の駆動方法が上述した第３実施形態に係る電気泳動表示装置の駆動方法と異なる点について主に説明し、上述した第３実施形態に係る電気泳動表示装置の駆動方法と同様の点については説明を適宜省略する。また、第５実施形態においても、上述した第３実施形態と同様に、図１０に示す複数の中間調を含む画像を表示部３に表示させる場合を例にとる。
【０１１９】
上述した第３実施形態に係る電気泳動表示装置の駆動方法では、黒書き込み（ステップＳＴ２１、ＳＴ２２及びＳＴ２３）を行った後に全ての画素２０に正極性の補償電圧パルスＰｃ１を印加する白書き込み（ステップＳＴ３０）を行ったが、本実施形態のように、負極性の駆動電圧パルスＰｂ１、Ｐｂ２及びＰｂ３のうち持続時間が最も長い負極性の駆動電圧パルスＰｂ１を画素２０に印加する黒書き込み（ステップＳＴ２１）を最後に設け、黒書き込み（ステップＳＴ２１）の直前に、白書き込み（ステップＳＴ３０）を行ってもよい。尚、上述したように、負極性の駆動電圧パルスＰｂ１の持続時間Ｔｂ１は、負極性の駆動電圧パルスＰｂ３の持続時間Ｔｂ３の例えば４倍であり、負極性の駆動電圧パルスＰｂ２の持続時間Ｔｂ２は、負極性の駆動電圧パルスＰｂ３の持続時間Ｔｂ３の例えば２倍である。
【０１２０】
即ち、図１３に示すように、本実施形態に係る電気泳動表示装置の駆動方法では、全白表示（ステップＳＴ１０）を行った後に、画素２０に負極性の駆動電圧パルスＰｂ２を印加する黒書き込み（ステップＳＴ２２）と、画素２０に負極性の駆動電圧パルスＰｂ３を印加する黒書き込み（ステップＳＴ２３）とを行う。尚、これらの黒書き込み（ステップＳＴ２２及びＳＴ２３）を行う順序は限定されず、いずれの黒書き込みが先に行われてもよい。これらの黒書き込み（ステップＳＴ２２及びＳＴ２３）を行った後に、表示部３のすべての画素２０に正極性の補償電圧パルスＰｃ１を印加する白書き込み（ステップＳＴ３０）を行う。この白書き込み（ステップＳＴ３０）を行った後に、負極性の駆動電圧パルスＰｂ１、Ｐｂ２及びＰｂ３のうち持続時間が最も長い負極性の駆動電圧パルスＰｂ１を画素２０に印加する黒書き込み（ステップＳＴ２１）を行う。
【０１２１】
このような第５実施形態に係る電気泳動表示装置の駆動方法によれば、図１０に示した複数の中間調を有する画像を表示部３に高品位に表示させることができる。
【０１２２】
ここで、本実施形態では、上述したように、白表示（ステップＳＴ１０）を行った後に図１０に示したような複数の中間調を含む画像を表示する際、黒書き込み（ステップＳＴ２２及びＳＴ２３）を行った後に白書き込み（ステップＳＴ３０）を行う。従って、この白書き込み（ステップＳＴ３０）によって、表示部３に配列された複数の画素２０によって表示される画像のノイズを低減或いは除去することができる。更に、本実施形態では、上述したように、負極性の駆動電圧パルスＰｂ１、Ｐｂ２及びＰｂ３のうち持続時間が最も長い負極性の駆動電圧パルスＰｂ１を画素２０に印加する黒書き込み（ステップＳＴ２１）を最後に行ない、黒書き込み（ステップＳＴ２１）の直前に、画素２０に正極性の補償電圧パルスＰｃ１を印加する白書き込み（ステップＳＴ３０）を行う。よって、負極性の駆動電圧パルスＰｂ１が印加される画素２０（即ち、図１０の例では、画素ＰＸ（１，１)、ＰＸ（１，３)、ＰＸ（２，１)、ＰＸ（２，２)、ＰＸ（３，１)、ＰＸ（３，２)）が、白書き込み（ステップＳＴ３０）によって、表示すべき灰色或いは黒色よりも白色に近づいてしまうことを低減することができる。従って、表示される画像のノイズを効果的に低減或いは除去することができるだけでなく、表示する画像のコントラストを高めることができる。ここで特に、黒色を表示すべき画素２０（即ち、図１０の例では、画素ＰＸ（１，１)及びＰＸ（２，２)）が表示する黒色が、白書き込み（ステップＳＴ３０）によって白色に近づいてしまうことを低減することができるので、表示する画像のコントラストを確実に高めることができる。
【０１２３】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法もまた本発明の技術的範囲に含まれるものである。
【符号の説明】
【０１２４】
３…表示部、１０…コントローラー、２０…画素、２１…画素電極、２２…共通電極、２３…電気泳動層、２４…画素スイッチング用トランジスター、２７…コンデンサー、４０…走査線、５０…データ線、６０…走査線駆動回路、７０…データ線駆動回路、２２０…共通電位供給回路、Ｐａ１、Ｐｂ１、Ｐｂ２、Ｐｂ３…負極性の駆動電圧パルス、Ｐｃ１…正極性の補償電圧パルス
【図１】
2011164193.tif 000003
【図２】
2011164193.tif 000004
【図３】
2011164193.tif 000005
【図４】
2011164193.tif 000006
【図６】
2011164193.tif 000007
【図７】
2011164193.tif 000008
【図８】
2011164193.tif 000009
【図９】
2011164193.tif 000010
【図１１】
2011164193.tif 000011
【図１２】
2011164193.tif 000012
【図１３】
2011164193.tif 000013
【図５】
2011164193.tif 000014
【図１０】
2011164193.tif 000015